(57)【要約】【課題】  利用者が使いたい機能をポインティングデバイスに任意に割当てることを可能とする自由度の高いポインティングデバイス機能設定装置を提供する。【解決手段】  ポインティングデバイス機能設定装置は、利用者からの入力を受付ける入力手段１と、この入力手段１から入力された情報を受付け、演算、記憶及び出力の演算を制御する演算制御部２と、前記ポインティングデバイスの操作領域を複数に区分する領域区分手段３と、この領域区分手段３により区分された複数の操作領域に所定の機能を割当てる機能割当手段４と、この機能割当手段４により割当てられた操作領域の各々にこの機能を付与する機能付与手段５と、機能割当の情報を記憶する割当マスタ６及び利用者のパソコン画面に画面表示する表示部７を備え、利用者が使いたい機能をポインティングデバイスに任意に割当てることを可能とする。【選択図】    図１
2009244925.tif 000002
【特許請求の範囲】
【請求項１】
ポインティングデバイスの機能を設定するポインティングデバイス機能設定装置において、
前記ポインティングデバイスの操作領域を複数に区分する領域区分手段と、
前記領域区分手段により区分された複数の前記操作領域に所定の機能を割当てる機能割当手段と、
前記機能割当手段により割当てられた前記操作領域の各々に前記機能を付与する機能付与手段を備えることを
特徴とするポインティングデバイス機能設定装置。
【請求項２】
請求項１に記載のポインティングデバイス機能設定装置において、
前記ポインティングデバイスへ装着可能なシート体を複数の区分に領域分けされて形成される簡易パッドを備え、
前記領域区分手段が、装着された当該簡易パッドの領域分けに基づいて前記操作領域を複数に区分することを
特徴とするポインティングデバイス機能設定装置。
【請求項３】
請求項２に記載のポインティングデバイス機能設定装置において、
ＲＦＩＤ読取部を有し、当該ＲＦＩＤ読取部にて前記簡易パッドに備えられたＲＦＩＤタグの内容を読取る読取手段をさらに備え、
前記領域区分手段が、当該読取ったＲＦＩＤタグの内容に基づいて前記操作領域を複数に区分することを
特徴とするポインティングデバイス機能設定装置。
【請求項４】
請求項２又は請求項３に記載のポインティングデバイス機能設定装置において、
前記ポインティングデバイスをタッチパネルとして、前記ポインティングデバイスへ装着可能なシート体をくり貫かれて形成される複数の中空枠を有する簡易パッドを備え、
前記機能付与手段が、当該中空枠のくり貫き孔から前記タッチパネルに押圧された前記操作領域に割当てられた前記機能を出力することを
特徴とするポインティングデバイス機能設定装置。
【請求項５】
請求項１に記載のポインティングデバイス機能設定装置において、
前記ポインティングデバイスが、画像表示部を備え、当該画像表示部に前記領域区分手段が区分した前記操作領域を画像表示することを
特徴とするポインティングデバイス機能設定装置。
【請求項６】
ポインティングデバイスの機能を設定するポインティングデバイス機能設定方法において、
前記ポインティングデバイスの操作領域を複数に区分する領域区分工程と、
前記領域区分工程により区分された複数の前記操作領域に所定の機能を割当てる機能割当工程と、
前記機能割当工程により割当てられた前記操作領域の各々に前記機能を付与する機能付与工程を備えることを
特徴とするポインティングデバイス機能設定方法。
【請求項７】
ポインティングデバイスの機能を設定するようにコンピュータを機能させるポインティングデバイス機能設定プログラムにおいて、
前記ポインティングデバイスの操作領域を複数に区分する領域区分手段、
前記領域区分手段により区分された複数の前記操作領域に所定の機能を割当てる機能割当手段、
前記機能割当手段により割当てられた前記操作領域の各々に前記機能を付与する機能付与手段としてコンピュータを機能させることを
特徴とするポインティングデバイス機能設定プログラム。
【発明の詳細な説明】
【技術分野】
【０００１】
本発明は、ポインティングデバイスの制御を行うポインティングデバイス機能設定装置に関して、特に利用者が使いたい機能を任意に割当てることを可能とする自由度の高いポインティングデバイス機能設定装置を提供することを目的とする。
【背景技術】
【０００２】
背景技術は、〔特許文献１〕、〔特許文献２〕に開示されるものがある。
〔特許文献１〕は、アンテナおよびテンキーを備えたＩＣカードにおいて、固有の固定ＩＤコードとＡ／Ｄ補正情報が格納されている書換可能メモリとを有するＲＦＩＤチップを備え、このテンキーの操作による各情報処理がＩＣカードのリーダー側で行われる。
【０００３】
また、〔特許文献２〕は、携帯型パーソナルコンピュータのタッチパッドの背面にＬＣＤが設けられ、ユーザによる携帯型パーソナルコンピュータの機能ボタンの操作によりＬＣＤ画面に機能を選択するメニューを表示し、ユーザによるメニュー中の機能の選択によりＬＣＤ画面にこの機能を表示し、タッチパッドを介したこの機能の操作により演算を行う。
【特許文献１】特開２００５―１８２０３号公報
【特許文献２】特開２００６―２２１６６５号公報
【発明の開示】
【発明が解決しようとする課題】
【０００４】
従来のポインティングデバイス機能設定装置は、使用可能な機能が当初から組み込まれた機能の範囲内に限定されるために自由度が少なく、ユーザが使いたい機能を任意に割当てることができないために、ユーザにとって不便であるという課題を有する。
【０００５】
本発明は前記課題を解消するためになされたもので、利用者が使いたい機能をポインティングデバイスに任意に割当てることを可能とする自由度の高いポインティングデバイス機能設定装置を提供することを目的とする。
【課題を解決するための手段】
【０００６】
本発明に係るポインティングデバイス機能設定装置は、ポインティングデバイスを情報処理端末の入力手段に備え、当該ポインティングデバイスの機能を設定するポインティングデバイス機能設定装置において、前記ポインティングデバイスの操作領域を複数に区分する領域区分手段と、前記領域区分手段により区分された複数の前記操作領域に所定の機能を割当てる機能割当手段と、前記機能割当手段により割当てられた前記操作領域の各々に前記機能を付与する機能付与手段を備えるものである。
【０００７】
このように本発明によれば、前記ポインティングデバイスの操作領域を複数に区分する領域区分手段と、前記領域区分手段により区分された複数の前記操作領域に所定の機能を割当てる機能割当手段と、前記機能割当手段により割当てられた前記操作領域の各々に前記機能を付与する機能付与手段を備えることから、前記ポインティングデバイスの区分された前記操作領域に応じて機能を付与することとなり、利用者により自由に区分された前記操作領域に対して機能を付与することができる。
【０００８】
また、本発明に係るポインティングデバイス機能設定装置は必要に応じて、前記入力手段が、前記ポインティングデバイスへ装着可能なシート体を複数の区分に領域分けされて形成される簡易パッドを備え、前記領域区分手段が、装着された当該簡易パッドの領域分けに基づいて前記操作領域を複数に区分するものである。このように本発明によれば、前記入力手段が、前記ポインティングデバイスへ装着可能なシート体を複数の区分に領域分けされて形成される簡易パッドを備え、前記領域区分手段が、装着された当該簡易パッドの領域分けに基づいて前記操作領域を複数に区分することから、着脱自在の簡易パッドを用いて前記ポインティングデバイスの前記操作領域を区分することとなり、個々の利用者のニーズに応じた前記簡易パッドを使用することができ、また必要な前記簡易パッドを必要な数だけ用意することができ、利用者の利便性を向上させることができる。
【０００９】
また、本発明に係るポインティングデバイス機能設定装置は必要に応じて、ＲＦＩＤ読取部を有し、当該ＲＦＩＤ読取部にて前記簡易パッドに備えられたＲＦＩＤタグの内容を読取る読取手段をさらに備え、前記領域区分手段が、当該読取ったＲＦＩＤタグの内容に基づいて前記操作領域を複数に区分するものである。このように本発明によれば、ＲＦＩＤ読取部を有し、当該ＲＦＩＤ読取部にて前記簡易パッドに備えられたＲＦＩＤタグの内容を読取る読取手段をさらに備え、前記領域区分手段が、当該読取ったＲＦＩＤタグの内容に基づいて前記操作領域を複数に区分することから、前記ポインティングデバイスへの前記簡易パッドの装着とともに固有のＲＦＩＤタグにより前記簡易パッドを自動認識することとなり、特に複数の前記簡易パッドから都度選択して使用する場合において前記簡易パッドを前記ポインティングデバイスへの装着により速やかに利用することができ、利用時の快適性を一層向上させることができる。
【００１０】
また、本発明に係るポインティングデバイス機能設定装置は必要に応じて、前記ポインティングデバイスをタッチパネルとして、前記ポインティングデバイスへ装着可能なシート体をくり貫かれて形成される複数の中空枠を有する簡易パッドを備え、前記機能付与手段が、当該中空枠のくり貫き孔から前記タッチパネルに押圧された前記操作領域に割当てられた前記機能を出力するものである。このように本発明によれば、前記ポインティングデバイスをタッチパネルとして、前記ポインティングデバイスへ装着可能なシート体をくり貫かれて形成される複数の中空枠を有する簡易パッドを備え、前記機能付与手段が、当該中空枠のくり貫き孔から前記タッチパネルに押圧された前記操作領域に割当てられた前記機能を出力することから、物理的なくり貫き孔に応じて前記機能を割当てることとなり、利用者がくり貫き孔を押圧することによりボタン感覚で前記ポインティングデバイスを利用することができ、取扱いやすさを向上させることができる。
【００１１】
また、本発明に係るポインティングデバイス機能設定装置は必要に応じて、前記ポインティングデバイスが、画像表示部を備え、当該画像表示部に前記領域区分手段が区分した前記操作領域を画像表示するものである。このように本発明によれば、前記ポインティングデバイスの画像表示部により前記領域区分手段に区分された前記操作領域を画像表示することから、利用者が前記操作領域を識別するための器具を必要とせずに前記ポインティングデバイスに視覚的に表示された内容に従って利用できることとなり、取扱いやすさを一層向上させることができる。
【発明を実施するための最良の形態】
【００１２】
（本発明の第１の実施形態）
以下、本発明の第１の実施形態に係るポインティングデバイス機能設定装置を、図１から図８に基づいて説明する。
この図１は本発明の第１の実施形態に係るポインティングデバイス機能設定装置の構成を示すブロック図、図２は図１に記載されたポインティングデバイス機能設定装置の全体構成図、図３は図１に記載されたポインティングデバイス機能設定装置のデータ例、図４は図１に記載されたポインティングデバイス機能設定装置のフローチャート、図５は図１に記載されたポインティングデバイス機能設定装置の簡易パッドアイコン画面例、図６は図１に記載されたポインティングデバイス機能設定装置の割当設定画面例、図７は図１に記載されたポインティングデバイス機能設定装置の操作領域認識例、図８は図１に記載されたポインティングデバイス機能設定装置の簡易パッド形状例を示す。
【００１３】
図１において、本発明の第１の実施形態に係るポインティングデバイス機能設定装置は、利用者からの入力を受付ける入力手段１と、この入力手段１から入力された情報を受付け、演算、記憶及び出力の演算を制御する演算制御部２と、前記ポインティングデバイスの操作領域を複数に区分する領域区分手段３と、この領域区分手段３により区分された複数の操作領域に所定の機能を割当てる機能割当手段４と、この機能割当手段４により割当てられた操作領域の各々にこの機能を付与する機能付与手段５と、機能割当の情報を記憶する割当マスタ６と、利用者のパソコン画面に画面表示する表示部７を備える。
【００１４】
また、前記入力手段１は、ポインティングデバイスに設定する機能の入力を受付け、この受付けた情報を前記演算制御部２に入力する設定入力部１１と、ポインティングデバイスに装着される簡易パッドをポインティングデバイスに固定し、利用者の指からの押圧を感知し、この押圧情報を前記演算制御部２に入力するパッド装着部１２と、このパッド装着部１２により簡易パッドの装着を検知し、この簡易パッドに関する情報を前記演算制御部２に入力する読取部１３を備える。
【００１５】
上記に基づいて構成されるポインティングデバイス機能設定装置は、図２（ａ）に示すように、タッチパネルとしてのポインティングデバイスを有するパソコン２００と、Ｒａｄｉｏ Ｆｒｅｑｕｅｎｃｙ Ｉｄｅｎｔｉｆｉｃａｔｉｏｎ（電波方式認識：以下、ＲＦＩＤという）タグを備えてくり貫かれて形成される複数の中空枠で形成されるくり貫き孔を有する簡易パッド１００を備える。このパソコン２００は、ポインティングデバイスに設定する機能を入力するキーボードとしての設定入力部１１と、この簡易パッド１００をポインティングデバイスに装着固定するとともに利用者の指からの押圧を感知するタッチパネルとしてのパッド装着部１２と、この装着固定を検知するＲＦＩＤリーダを備える読取部１３と、パソコン画面に画像表示するディスプレイとしての表示部７を備える。
【００１６】
また、パソコン２００は、本体内部のＣＰＵが、同図（ｂ）に示すように前記演算制御部２と、前記領域区分手段３と、前記機能割当手段４と、前記機能付与手段５として機能し、本体内部のメモリが、前記割当マスタ６として機能することができる。
【００１７】
また、前記領域区分手段３は、図３（ａ）に示すように、ポインティングデバイスの操作領域を区画に分割して位置情報を定義することができる。この区画定義は、例えば、図３（ａ）に示すように、軸Ａと軸１で指定される区画を”Ａ１”区画と定義することができる。
【００１８】
また、前記割当マスタ６は、同図（ｂ）に示すように、識別番号項目、位置情報項目及び割当情報を含むことができる。この識別番号項目は、前記簡易パッド１００に内蔵されたＲＦＩＤタグ情報を示す。また、この位置情報項目は、ポインティングデバイスの前記位置情報を示す。また、この割当情報項目は、前記位置情報に割当てられた機能を示す。
【００１９】
前記機能割当手段４は、例えば同図（ｂ）の識別番号項目が”００１”で特定されるＲＦＩＤタグの場合には、同図（ａ）の点線により操作領域を３区画に分割され、同図（ａ）におけるＡ〜Ｈ及び１〜７で囲まれた区画にワープロソフトＸＸＸ起動機能を割当て、Ｉ〜Ｚ及び１〜７で囲まれた区画に表計算ソフトＹＹＹ起動機能を割当て、Ａ〜Ｈ及び１〜７で囲まれた区画にインターネットサイトｈｔｔｐ:／／ｗｗｗ．□□．○○．△／へのアクセス機能を割当てることができる。
【００２０】
以下、前記構成に基づく本実施形態のポインティングデバイス機能設定装置の動作について説明する。
まず、利用者は、図４に示すように、パソコン２００を起動し（Ｓ１）、簡易パッド１００をポインティングデバイスに装着する（Ｓ２）。読取部１３は、この装着をパッド装着部１２から検知し、この簡易パッド１００のＲＦＩＤタグを読取り、このＲＦＩＤタグに含まれる識別番号を読込む（Ｓ３）。
【００２１】
演算制御部２は、割当マスタ６を参照し、この読込まれた識別番号に基づいてこの識別番号の存在可否判断を行う（Ｓ４）。この演算制御部２は、この判断によりこの識別番号がこの割当マスタ６に存在する場合には、表示部７に簡易パッド１００の機能に関するアイコン画面のディスプレイ表示を指示する。前記表示部７は、この指示に基づいてディスプレイに簡易パッドアイコンを表示する（Ｓ５）。
【００２２】
この簡易パッドアイコンの画面例としては、図５に示すように、前記パッド装着部１２に装着された簡易パッド１００の各操作領域７１ａから７１ｅの形状及び各操作領域に割当てられた機能をディスプレイ表示することもできる。同図の例では、各操作領域７１ａから７１ｅは、ｗｅｂサイトＡにアクセスする機能、メールソフトを起動する機能、業務メニューを表示する機能、表計算ソフトＢを機能する機能及びポインティングデバイス機能を各々割当てられる。
【００２３】
また、設定入力部１１は、前記アイコン画面において、利用者が簡易パッド１００に関する機能を変更したい場合（Ｓ６）には、この利用者から機能変更を受付ける。前記演算制御部２は、この機能変更の要求を受付け、前記表示部７に前記簡易パッド１００に関する割当機能を設定する割当設定画面の表示を指示する（Ｓ７）。
【００２４】
この割当設定画面の一例としては、図６に示すように、ラジオボタンやキーボードからの直接入力領域を備えることもできる。このアイコン画面例は、前記パッド装着部１２に装着された簡易パッド１００の形状を各操作領域の採番とともにディスプレイ表示する簡易パッド表示領域７１と、この簡易パッド表示領域７１の表示に基づいて編集を行う操作領域を指定するための操作領域番号領域７２と、この操作領域番号領域７２で指定された操作領域に割当てる機能のカテゴリを選択するための機能カテゴリ選択領域７３と、この機能カテゴリ選択領域７３に選択された機能カテゴリに基づいて具体的な割当機能をこの操作領域に設定するための機能割当領域７４と、この機能割当領域７４で割当てられた割当機能の名称を設定するための機能名称領域７５と、この機能割当領域７４で割当てられた割当機能を有効にするための設定ボタン領域７６と、操作領域番号領域７２で選択された操作領域番号の割当機能を削除するための削除ボタン領域７７を含むこともできる。
【００２５】
また、この機能カテゴリ選択領域７３は、同図に示すように、プログラム起動、インターネット接続及びポインティングデバイス起動のカテゴリを表示することもできる。また、この機能カテゴリ選択領域７３は、ラジオボタンを用いてもよい。
【００２６】
また、前記機能割当領域７４は、割当機能がプログラム起動の場合には起動するプログラム名を登録され、割当機能がインターネット接続の場合にはアクセスするＵＲＬを登録されることもできる。また、前記機能割当領域７４は、パソコンの特定の機能を動作させるために押圧するショートカットキーを登録されることもできる。
【００２７】
例えば、利用者は、同図に示す設定により、前記簡易パッド表示領域７１に表示された２の番号で特定される操作領域にワープロソフトＸＸＸ起動の機能を割当することができる。利用者は、この設定により、前記パッド装着部１２に装着された簡易パッド１００のこの２の番号で特定される操作領域を指で押圧することにより、このワープロソフトＸＸＸを自動起動することができる。
【００２８】
また、前記設定入力部１１は、前記割当設定画面において、この利用者から前記簡易パッド１００に関する割当設定を受付ける（Ｓ８）。前記演算制御部２は、この割当設定を受付け、機能割当手段４にこの割当設定に基づいてポインティングデバイスの操作領域に機能の割当を指示する。この機能割当手段４は、この指示に基づいてこの操作領域に機能の割当を行う。
【００２９】
前記演算制御部２は、この機能割当後、前記割当マスタ６の内容を更新する（Ｓ９）。利用者は、この割当設定を反映した内容で、前記簡易パッド１００を使用することができる（Ｓ１０）
利用者は、前記簡易パッド１００に割当られた機能を実行するために、前記簡易パッド１００のくり貫き孔からポインティングデバイスに押圧する。前記パッド装着部１２は、この押圧による入力情報を受付け、前記演算制御部２にこの入力情報を入力する。
【００３０】
前記演算制御部２は、この入力情報を受付け、前記機能割当手段４にこの押圧されたポインティングデバイスの操作領域に割当てられた機能の確認を指示する。この指示を受けた前記機能割当手段４は、前記演算制御部２にポインティングデバイスのこの位置情報より割当マスタを参照した割当情報の読込を依頼する。
前記演算制御部２は、前記機能付与手段５にこの割当てられた機能の実行を指示する。この指示を受けた前記機能付与手段５は、この割当てられた機能を実行する（Ｓ１２）。
【００３１】
また、前記演算制御部２は、図７に示すように、くり貫き孔１００ａ〜１００ｅを有する簡易パッド１００に対して利用者の指による押圧領域３００がくり貫き孔１００ａの操作領域とくり貫き孔１００ｂの操作領域の両方を跨ぐ場合には、この２つの操作領域の面積を演算し、この面積の大きい方を押圧されたと認識することもできる。前記演算制御部２は、同図（ａ）に示すように、この押圧領域３００のうち、くり貫き孔１００ａの操作領域に含まれる部分押圧領域３００ａの面積とくり貫き孔１００ｂに含まれる部分押圧領域３００ｂの面積を演算し、この部分押圧領域３００ａの面積とこの部分押圧領域３００ｂの面積を比較演算する。
【００３２】
前記演算制御部２は、この演算によりこの部分押圧領域３００ａの面積がこの部分押圧領域３００ｂの面積より大きいことを検出し、同図（ｂ）に示すように、利用者の押圧領域３００がくり貫き孔１００ａに該当する操作領域のみに押圧されたと判断することができる。この判断により、前記演算制御部２は、利用者の指が意図しない操作領域に触れた場合でも、利用者の意図する操作領域を補正演算することとなり、利用者に厳密な接触を要求しないために利用者にとっての操作性を向上することができる。また、前記演算制御部２は、利用者の意図する操作領域の面積が狭い場合でも、利用者の指が触れた操作領域を補正演算して特定することとなり、狭い操作領域に対しても利用者の意図に沿った機能を容易に実行することができる。
【００３３】
また、前記簡易パッド１００の形状例としては、図８に示すように、くり貫きを有するものであれば様々な形状のものを使用することができる。前記簡易パッド１００は、例えば、同図（ａ）に示すように、４分割されたくり貫き形状の場合には、ポインティングデバイスの操作領域を大きく均等に４分割することとなり、特に普段パソコンを使い慣れない方にとっても容易に取扱うことができる。
【００３４】
また、前記簡易パッド１００は、例えば、同図（ｂ）に示すように、５分割されたくり貫き形状の場合には、１つの大きなくり貫き形状を有することができ、この大きなくり貫き形状に割当てられた操作領域により、指先の移動を認識するポインティングデバイスとして、例えばマウスのように利用することもできる。
【００３５】
また、前記簡易パッド１００は、例えば、同図（ｃ）に示すように、１６分割されたくり貫き形状の場合には、ポインティングデバイスに１６もの機能を割当てられることとなり、利用頻度の高いショートカットキーやインターネットサイトへのアクセスを登録することによりパソコンの使い勝手を向上させることができる。
【００３６】
また、本実施形態において、前記簡易パッド１００は、くり貫き孔を有するくり貫き形状としたが、このくり貫き形状に限定されることはなく、ポインティングデバイスの操作領域を区分する枠を有するくり貫き孔の無いシート状の合成樹脂を使用することもできる。
【００３７】
また、本実施形態に係るポインティングデバイス機能設定装置を構成する各機器のハードウエア構成は、ＣＰＵ、メモリ、大容量記憶装置、ディスプレイ、通信装置、キーボード、マウス、入力手段及び上記各部を接続するバスからなる。なお、本ポインティングデバイス機能設定装置における各機器はいずれも同一のハードウエア構成を有するものとする。
【００３８】
（本発明の第２の実施形態）
以下、本発明の第２の実施形態に係るポインティングデバイス機能設定装置を、図９から図１３に基づいて説明する。
この図９は本発明の第２の実施形態に係るポインティングデバイス機能設定装置の構成を示すブロック図、図１０は図９に記載されたポインティングデバイス機能設定装置の全体構成図、図１１は図９に記載されたポインティングデバイス機能設定装置のデータ例、図１２は図９に記載されたポインティングデバイス機能設定装置のフローチャート、図１３は図９に記載されたポインティングデバイス機能設定装置の液晶画面表示例を示す。
【００３９】
図９において、本実施形態に係るポインティングデバイス機能設定装置は、前記第１の実施形態と同様に前記演算制御部２と、前記領域区分手段３と、前記機能割当手段４と、前記機能付与手段５と、前記割当マスタ６と、前記表示部７を備え、前記入力手段１に代替して液晶表示機能を有する入力手段１０を備える。
【００４０】
この入力手段１０は、前記第１の実施形態と同様の前記設定入力部１１と、液晶表示機能を有し、利用者の指からの押圧を感知し、この押圧情報を前記演算制御部２に入力するパッド機能液晶表示部１４を備える。
【００４１】
上記に基づいて構成されるポインティングデバイス機能設定装置は、図１０に示すように、前記第１の実施形態の図２に記載した前記パッド装着部１２及び読取部１３を代替して、液晶画面としてのパッド機能液晶表示部１４を備え、前記第１の実施形態の前記簡易パッド１００を不要とする。このパッド機能液晶表示部１４は、同図に示すように、前記第１の実施形態の前記簡易パッド１００の形状と同様に、ポインティングデバイスの操作領域を枠により分割された画面を表示する。
【００４２】
また、前記割当マスタ６は、図１１に示すように、前記第１の実施形態と同様の各項目に、使用設定フラグ項目を追加して含むことができる。この使用設定フラグ項目は、パソコン２００の起動時に読み込まれる識別番号の場合には数字の１を設定され、読み込まれない識別番号の場合には数字の０を設定されることができる。
【００４３】
以下、前記構成に基づく本実施形態のポインティングデバイス機能設定装置の動作について、前記第１の実施形態に変更された処理を説明する。
本実施形態の処理の流れに関して、図１２に示すように、前記第１の実施形態のＳ１と同様に利用者は、パソコン２００を起動する。
【００４４】
この起動後、演算制御部２は、割当マスタ６を参照し、前記使用設定フラグに基づいて現在使用される設定の識別番号の存在可否判断を前記第１実施形態の変更処理として行う（Ｓ４−１）。前記機能割当手段４は、前記図１１の例では、パソコン２００の起動時に、前記使用設定フラグが数字の１を示す”００１”の識別番号項目で特定される割当情報に基づいてポインティングデバイスに機能を割当てることができる。なお、前記使用設定フラグは、前記第１の実施形態の図６と同様の割当設定画面に、使用設定の可否を選択するボタンを追加することにより利用者に設定されることもできる。
【００４５】
また、利用者は、第１の実施形態と同様のＳ９において割当マスタ６の登録後、又は、第１の実施形態と同様のＳ６において設定変更を行わない場合には、ポインティングデバイスの利用を開始することができる（Ｓ１０−１）。パッド機能液晶表示部１４は、例えば、図１３（ａ）に示すように、前記第１実施形態で記載した前記簡易パッド１００のくり貫き孔１００ａ〜１００ｄと同様に操作領域を枠で区分された枠領域１４ａ〜１４ｄを液晶表示することもできる。
【００４６】
また、このパッド機能液晶表示部１４は、例えば、図１３（ｂ）に示すように、この枠領域１４ａ〜１４ｄとともにこの枠領域１４ａ〜１４ｄに割当てられた機能名称を液晶表示することもできる。前記機能付与手段５は、図１３（ｂ）の例では、利用者により例えば枠領域１４ａを押圧されることによりワープロソフトＸＸＸを起動する。この液晶表示により、利用者は、ポインティングデバイスの各操作領域に割当てた機能を都度思い出すことが不要なこととなり、より容易にポインティングデバイスを操作することができる。
【００４７】
以降、前記第１の実施形態と同様の処理を行う。このように、液晶表示により、前記簡易パッド１００を不要とすることとなり、前記簡易パッド１００の持ち運びや管理の手間を省くことができる。
【００４８】
なお、上述の実施形態に係るポインティングデバイス機能設定装置は、前記パッド機能液晶表示部１４に液晶を用いたが、この形態に限定されることはなく、例えば小型で高精細な有機ＥＬを用いることも可能である。
【００４９】
（付記１）ポインティングデバイスの機能を設定するポインティングデバイス機能設定装置において、前記ポインティングデバイスの操作領域を複数に区分する領域区分手段と、
前記領域区分手段により区分された複数の前記操作領域に所定の機能を割当てる機能割当手段と、前記機能割当手段により割当てられた前記操作領域の各々に前記機能を付与する機能付与手段を備えることを特徴とするポインティングデバイス機能設定装置。
【００５０】
（付記２）前記ポインティングデバイスへ装着可能なシート体を複数の区分に領域分けされて形成される簡易パッドを備え、前記領域区分手段が、装着された当該簡易パッドの領域分けに基づいて前記操作領域を複数に区分することを特徴とする付記１に記載のポインティングデバイス機能設定装置。
【００５１】
（付記３）ＲＦＩＤ読取部を有し、当該ＲＦＩＤ読取部にて前記簡易パッドに備えられたＲＦＩＤタグの内容を読取る読取手段をさらに備え、前記領域区分手段が、当該読取ったＲＦＩＤタグの内容に基づいて前記操作領域を複数に区分することを特徴とする付記２に記載のポインティングデバイス機能設定装置。
【００５２】
（付記４）前記ポインティングデバイスをタッチパネルとして、前記ポインティングデバイスへ装着可能なシート体をくり貫かれて形成される複数の中空枠を有する簡易パッドを備え、前記機能付与手段が、当該中空枠のくり貫き孔から前記タッチパネルに押圧された前記操作領域に割当てられた前記機能を出力することを特徴とする付記２又は付記３に記載のポインティングデバイス機能設定装置。
【００５３】
（付記５）前記ポインティングデバイスが、画像表示部を備え、当該画像表示部に前記領域区分手段が区分した前記操作領域を画像表示することを特徴とする付記１に記載のポインティングデバイス機能設定装置。
【００５４】
（付記６）ポインティングデバイスの機能を設定するポインティングデバイス機能設定方法において、前記ポインティングデバイスの操作領域を複数に区分する領域区分工程と、
前記領域区分工程により区分された複数の前記操作領域に所定の機能を割当てる機能割当工程と、前記機能割当工程により割当てられた前記操作領域の各々に前記機能を付与する機能付与工程を備えることを特徴とするポインティングデバイス機能設定方法。
【００５５】
（付記７）前記ポインティングデバイスへ装着可能なシート体を複数の区分に領域分けされて形成される簡易パッドを備え、前記領域区分工程が、装着された当該簡易パッドの領域分けに基づいて前記操作領域を複数に区分することを特徴とする付記６に記載のポインティングデバイス機能設定方法。
【００５６】
（付記８）ＲＦＩＤ読取部を有し、当該ＲＦＩＤ読取部にて前記簡易パッドに備えられたＲＦＩＤタグの内容を読取る読取工程をさらに備え、前記領域区分工程が、当該読取ったＲＦＩＤタグの内容に基づいて前記操作領域を複数に区分することを特徴とする付記７に記載のポインティングデバイス機能設定方法。
【００５７】
（付記９）前記ポインティングデバイスをタッチパネルとして、前記ポインティングデバイスへ装着可能なシート体をくり貫かれて形成される複数の中空枠を有する簡易パッドを備え、前記機能付与工程が、当該中空枠のくり貫き孔から前記タッチパネルに押圧された前記操作領域に割当てられた前記機能を出力することを特徴とする付記７又は付記８に記載のポインティングデバイス機能設定方法。
【００５８】
（付記１０）前記ポインティングデバイスが、画像表示部を備え、当該画像表示部に前記領域区分工程が区分した前記操作領域を画像表示することを特徴とする付記６に記載のポインティングデバイス機能設定方法。
【００５９】
（付記１１）ポインティングデバイスの機能を設定するようにコンピュータを機能させるポインティングデバイス機能設定プログラムにおいて、前記ポインティングデバイスの操作領域を複数に区分する領域区分手段、前記領域区分手段により区分された複数の前記操作領域に所定の機能を割当てる機能割当手段、前記機能割当手段により割当てられた前記操作領域の各々に前記機能を付与する機能付与手段としてコンピュータを機能させることを特徴とするポインティングデバイス機能設定プログラム。
【００６０】
（付記１２）前記ポインティングデバイスへ装着可能なシート体を複数の区分に領域分けされて形成される簡易パッドを備え、前記領域区分手段が、装着された当該簡易パッドの領域分けに基づいて前記操作領域を複数に区分することを特徴とする付記１１に記載のポインティングデバイス機能設定プログラム。
【００６１】
（付記１３）ＲＦＩＤ読取部を有し、当該ＲＦＩＤ読取部にて前記簡易パッドに備えられたＲＦＩＤタグの内容を読取る読取手段をさらに備え、前記領域区分手段が、当該読取ったＲＦＩＤタグの内容に基づいて前記操作領域を複数に区分することを特徴とする付記１２に記載のポインティングデバイス機能設定プログラム。
【００６２】
（付記１４）前記ポインティングデバイスをタッチパネルとして、前記ポインティングデバイスへ装着可能なシート体をくり貫かれて形成される複数の中空枠を有する簡易パッドを備え、前記機能付与手段が、当該中空枠のくり貫き孔から前記タッチパネルに押圧された前記操作領域に割当てられた前記機能を出力することを特徴とする付記１２又は付記１３に記載のポインティングデバイス機能設定プログラム。
【００６３】
（付記１５）前記ポインティングデバイスが、画像表示部を備え、当該画像表示部に前記領域区分手段が区分した前記操作領域を画像表示することを特徴とする付記１１に記載のポインティングデバイス機能設定プログラム。
【図面の簡単な説明】
【００６４】
【図１】本発明の第１の実施形態に係るポインティングデバイス機能設定装置の構成を示すブロック図
【図２】本発明の第１の実施形態に係るポインティングデバイス機能設定装置の全体構成図
【図３】本発明の第１の実施形態に係るポインティングデバイス機能設定装置のデータ例
【図４】本発明の第１の実施形態に係るポインティングデバイス機能設定装置のフローチャート
【図５】本発明の第１の実施形態に係るポインティングデバイス機能設定装置の簡易パッドアイコン画面例
【図６】本発明の第１の実施形態に係るポインティングデバイス機能設定装置の割当設定画面例
【図７】本発明の第１の実施形態に係るポインティングデバイス機能設定装置の操作領域認識例
【図８】本発明の第１の実施形態に係るポインティングデバイス機能設定装置の簡易パッド形状例
【図９】本発明の第２の実施形態に係るポインティングデバイス機能設定装置の構成を示すブロック図
【図１０】本発明の第２の実施形態に係るポインティングデバイス機能設定装置の全体構成図
【図１１】本発明の第２の実施形態に係るポインティングデバイス機能設定装置のデータ例
【図１２】本発明の第２の実施形態に係るポインティングデバイス機能設定装置のフローチャート
【図１３】本発明の第２の実施形態に係るポインティングデバイス機能設定装置の液晶画面表示例
【符号の説明】
【００６５】
１、１０  入力手段
１１  設定入力部
１２  パッド装着部
１３  読取部
１４  パッド機能液晶表示部
１４ａ〜１４ｄ  枠領域
２  演算制御部
３  領域区分手段
４  機能割当手段
５  機能付与手段
６  割当マスタ
７  表示部
７１  簡易パッド表示領域
７１ａ〜７１ｅ  操作領域
７２ 操作領域番号領域
７３ 機能カテゴリ選択領域
７４ 機能割当領域
７５ 機能名称領域
７６ 設定ボタン領域
７７ 削除ボタン領域
１００  簡易パッド
１００ａ〜１００ｅ  くり貫き孔
２００  パソコン
３００  押圧領域
３００ａ  部分押圧領域
３００ｂ  部分押圧領域
【図１】
2009244925.tif 000003
【図２】
2009244925.tif 000004
【図３】
2009244925.tif 000005
【図４】
2009244925.tif 000006
【図５】
2009244925.tif 000007
【図６】
2009244925.tif 000008
【図７】
2009244925.tif 000009
【図８】
2009244925.tif 000010
【図９】
2009244925.tif 000011
【図１０】
2009244925.tif 000012
【図１１】
2009244925.tif 000013
【図１２】
2009244925.tif 000014
【図１３】
2009244925.tif 000015